(57)【要約】      （修正有）【課題】より高い付加価値を有するクリアファイルを提供する。【解決手段】クリアファイル１は、プラスチックシートで形成される一面シート２と他面シート３とを重ねて、下辺５ａ及び左右いずれかの側辺（４ａ又は４ｂ）を閉塞するとともに、上辺５ｂ及び左右いずれかの側辺（４ａ又は４ｂ）を連続した開口部とし、前記開口部から書類を収納できるようにしたものであり、他面シート３を一面シート２よりも硬質な素材とすることにより、他面シート３を筆記の際の下敷きとしても使用可能としたことを特徴とする。【選択図】図１
0003153236.tif 000002
【実用新案登録請求の範囲】
【請求項１】
プラスチックシートで形成される一面シートと他面シートとを重ねて、下辺及び左右いずれかの側辺を閉塞するとともに、上辺及び左右いずれかの側辺を連続した開口部とし、前記開口部から書類を収納できるようにしたクリアファイルにおいて、
前記他面シートを前記一面シートよりも硬質な素材とすることにより、前記他面シートを筆記の際の下敷きとしても使用可能としたことを特徴とするクリアファイル。
【請求項２】
前記他面シートを前記一面シートよりも硬質な素材とする手段が前記他面シートの厚さを前記一面シートよりも厚くすることである請求項１記載のクリアファイル。
【考案の詳細な説明】
【技術分野】
【０００１】
本考案は、クリアファイルに関し、さらに詳しくは、クリアファイルを構成する二枚のシートのうちの一方のシートを、他方のシートよりも硬質な素材とすることにより、筆記の際の下敷きとしても使用可能としたクリアファイルに関する。
【背景技術】
【０００２】
クリアファイルとは、透明、半透明又は不透明なプラスチックシートで構成される一面シートと他面シートとを重ねて、下辺及び左右いずれかの側辺を閉塞するとともに、上辺及び左右いずれかの側辺を連続した開口部とし、この開口部から書類を収納できるようにしたファイルである。このようなクリアファイルは、軽量かつ安価であり、日常の事務作業で書類の整理に利用される他、クリアファイルに広告等を印刷し、いわゆる販促商品等として配布されることがある。
【０００３】
クリアファイルを販促商品等として配布する場合、より高い宣伝効果を得るために、クリアファイルを受け取った顧客の注意を引き付けることが重要である。このような観点から、例えば、特許文献１には、クリアファイルの他面シートの上部が一面シートから突出して見えるように大きく形成し、かつこの突出部分に多色印刷を施すことにより視覚的興趣に富んだクリアファイルを得ることが記載されている。
【先行技術文献】
【特許文献】
【０００４】
【特許文献１】実用新案登録第３１４４８１７号公報
【考案の概要】
【考案が解決しようとする課題】
【０００５】
クリアファイルを受け取った顧客の注意を引き付け、販促効果を高める方法としては、上記特許文献１に記載されたように視覚に訴える方法の他に、配布されたクリアファイル自体の付加価値を高めることも重要である。しかし、クリアファイルは、主として書類を分類したり保管したりするために使用されるものであり、これらの用途を超えるような付加価値があまり提案されてこなかったのが現状である。
【０００６】
本考案は、以上の状況に鑑みてなされたものであり、より高い付加価値を有するクリアファイルを提供することを目的とする。
【課題を解決するための手段】
【０００７】
本考案者らは、鋭意検討を行った結果、クリアファイルを構成する二枚のプラスチックシートのうちの一方を、他方のプラスチックシートよりも硬質な素材とすることにより、クリアファイルを筆記用の下敷きとしても使用できることを見出し、本考案を完成するに至った。
【０００８】
（１）本考案は、プラスチックシートで形成される一面シートと他面シートとを重ねて、下辺及び左右いずれかの側辺を閉塞するとともに、上辺及び左右いずれかの側辺を連続した開口部とし、前記開口部から書類を収納できるようにしたクリアファイルにおいて、前記他面シートを前記一面シートよりも硬質な素材とすることにより、前記他面シートを筆記の際の下敷きとしても使用可能としたことを特徴とするクリアファイルである。
【０００９】
（２）また、本考案は、前記他面シートを前記一面シートよりも硬質な素材とする手段が、前記他面シートの厚さを前記一面シートよりも厚くすることである（１）項記載のクリアファイルである。
【考案の効果】
【００１０】
本考案によれば、より高い付加価値を有するクリアファイルが提供される。
【図面の簡単な説明】
【００１１】
【図１】本考案のクリアファイルの一実施形態を示す斜視図である。
【図２】図１のＡ方向から本考案のクリアファイルの一実施形態を見たときの側面図である。
【考案を実施するための形態】
【００１２】
以下、本考案のクリアファイルの一実施形態について図面を参照しながら説明する。図１は、本考案のクリアファイルの一実施形態を示す斜視図である。図２は、図１のＡ方向から本考案のクリアファイルの一実施形態を見たときの側面図である。
【００１３】
＜クリアファイル＞
図１に示すように、本実施形態のクリアファイル１は、一面シート２と他面シート３とから構成される。そして、一面シート２と他面シート３とを重ねた状態で、下辺５ａ及び左側の側辺４ａが閉塞される。これにより、本実施形態のクリアファイル１は、上辺５ｂ及び右側の側辺４ｂが連続した開口部となり、この開口部から書類を収納することができる。以下、一面シート２及び他面シート３について説明する。
【００１４】
［一面シート２］
本実施形態のクリアファイル１で使用される一面シート２は、プラスチック製のシートである。一面シート２として使用されるプラスチック製のシートとしては、例えば、ポリエチレン、塩化ビニル、ポリプロピレン、ポリエチレンテレフタレート（ＰＥＴ）等の樹脂をシート状に加工したものが使用される。
【００１５】
一面シート２の厚さは、０．２〜０．４μｍであることが好ましく、０．２μｍであることがより好ましいが、特に限定されない。一面シート２の厚さが０．２μｍ以上であることにより、一面シート２がクリアファイル１に収納された書類を十分に保持することができ、一面シート２の厚さが０．４μｍ以下であることにより、一面シート２にしなやかさが付与され、一面シート２を指でつまんで持ち上げることが容易になるので、クリアファイル１の開口部を拡げて書類を収納する作業が容易になる。
【００１６】
一面シート２は、透明、半透明又は不透明のいずれであってもよく、顔料や染料などで着色されていてもよい。一面シート２が着色されていることにより、クリアファイル１に収納される書類の種類に応じて、異なる色のクリアファイル１を使用することができるので、書類の分類が容易になる。
【００１７】
一面シート２の閉塞されていない側の側辺、すなわち右側の側辺４ｂには、略半円形の切り欠き部６が設けられる。切り欠き部６は、例えば、クリアファイル１の内部に書類を収納する際、切り欠き部６に指を挿入してクリアファイル１の開口部を拡げるために使用される。
【００１８】
［他面シート３］
【００１９】
本実施形態のクリアファイル１で使用される他面シート３は、プラスチック製のシートである。なお、ここでいうプラスチックシートには、樹脂をシート状に加工したものの他、紙の表面に樹脂をコーティング又はラミネートしたものや、複数枚の樹脂フィルムで紙を挟んで接着し、一体化したもの、すなわち樹脂と紙との複合シートが含まれる。
【００２０】
他面シート３に使用される樹脂としては、例えば、ポリエチレン、塩化ビニル、ポリプロピレン、ポリエチレンテレフタレート（ＰＥＴ）、アクリル樹脂等が挙げられる。他面シート３に使用される樹脂シートは、複数の樹脂フィルムが積層した多層シートであってもよい。この場合、当該多層シートに、印刷の施された樹脂フィルムや、ホログラムシートが含まれてもよい。
【００２１】
また、他面シート３を樹脂と紙との複合シートとする場合、当該複合シートに含まれる紙としては、上質紙、アート紙、ボール紙、コート紙等が例示される。これらの紙には、予め印刷が施されていてもよい。また、複合シートには、さらにホログラムシートが含まれてもよい。
【００２２】
他面シート３の厚さは、０．３〜０．７５μｍであることが好ましく、０．４μｍであることがより好ましいが、特に限定されない。他面シート３の厚さが０．３μｍ以上であることにより、筆記の際の下敷きとして使用するのに十分な強度を他面シート３に付与することができ、他面シート３の厚さが０．７５μｍ以下であることにより、クリアファイル１に良好な携帯性を付与することができる。
【００２３】
他面シート３が上記の厚さの範囲となることにより、図２に示すように、他面シート３は、一面シート２よりも厚くなり、硬質になる。他面シート３がこのように硬質であることにより、他面シート３を筆記の際の下敷きとして使用することができるので、クリアファイル１に「筆記の際の下敷き用途」という付加価値が付与される。
【００２４】
他面シート３は、透明、半透明又は不透明のいずれであってもよく、顔料や染料などで着色されていてもよい。他面シート３が着色されていることにより、クリアファイル１に収納される書類の種類に応じて、異なる色のクリアファイル１を使用することができるので、書類の分類が容易になる。他面シート３が着色される場合、書類の分類の容易性という観点からは、一面シート２と他面シート３とは同じ色に着色されていることが好ましいが、特に限定されず、意匠効果等を考慮して、一面シート２及び他面シート３の色をそれぞれ適宜決定すればよい。
【００２５】
［クリアファイル１の製法］
次に、クリアファイル１の製法について説明する。
まず、一面シート２と他面シート３とを重ね、左側の側面４ａ及び下辺５ａを閉塞する。このとき、一面シート２の閉塞される辺と他面シート３の閉塞される辺とが一致して揃っていることが好ましいが、これらの辺を閉塞した後に余分な部分を切断して除去すればよいので、特に限定されない。
【００２６】
左側の側面４ａ及び下辺５ａと閉塞する手段は、公知の手段を採用することができ、特に限定されない。このような手段としては、超音波を使用するウェルド法、加熱しながら圧力を付与する熱圧着法、接着剤、ホットメルト、両面テープ等による接着法等が例示される。
【００２７】
左側の側面４ａ及び下辺５ａが閉塞されることにより、一面シート２及び他面シート３が接合されて一体化し、クリアファイル１となる。
【００２８】
なお、一面シート２及び他面シート３は、互いに同じ大きさのシートでもよいし、異なる大きさのシートでもよい。さらに、一面シート２及び他面シート３の形状は、特に限定されず、長方形以外の形状であってもよく、また、一面シート２及び他面シート３が互いに異なる形状であってもよい。一面シート２及び他面シート３の大きさ及び形状は、クリアファイル１の用途や意匠効果を考慮して、それぞれ適宜決定すればよい。
【００２９】
また、一面シート２及び他面シート３を接合するのに先立ち、印刷等によりこれらのシートに模様を付与してもよい。この場合の印刷法としては、シルクスクリーン印刷、オフセット印刷、グラビア印刷等が例示されるが、特に限定されない。また、一面シート２及び他面シート３への印刷に使用するインキについても特に限定されず、一面シート２及び他面シート３の材質を考慮してインキの種類を適宜決定すればよいが、速乾性で印刷被膜の強度が高いという観点からは、紫外線硬化型のインキが好ましく使用される。
【００３０】
本実施態様のクリアファイル１によれば、以下の効果が奏される。
【００３１】
本実施態様のクリアファイル１は、図２に示すように、他面シート３の厚さが一面シート２よりも厚く、硬質である。そのため、他面シート３が容易に変形せず、クリアファイル１、特に、他面シート３を筆記用の下敷きとしても使用することができる。その一方で、一面シート２の厚さや硬さは通常のクリアファイルと同様であるので、一面シート２を指でつまんで持ち上げることが容易であり、クリアファイル１の開口部を拡げて書類を収納する作業は、通常のクリアファイルと同様に容易である。
【００３２】
＜変形例＞
以上、本考案のクリアファイルについて実施形態を示して具体的に説明したが、本考案は、上記の実施形態に限定されるものではなく、本考案の構成の範囲内において適宜変更を加えて実施することができる。
【００３３】
例えば、上記実施形態では、下辺５ａ及び左側の側辺４ａが閉塞されていたが、下辺５ａ及び右側の側辺４ｂが閉塞されてもよい。
【００３４】
また、上記実施態様では、他面シート３の厚さを大きくすることによって、他面シート３を硬質なシートとしたが、他面シート３を構成する材質を硬度の高いものにすることによって、他面シート３を硬質なシートとしてもよい。
【符号の説明】
【００３５】
１    クリアファイル
２    一面シート
３    他面シート
４ａ、４ｂ    側辺
５ａ    下辺
５ｂ    上辺
【図１】
0003153236.tif 000003
【図２】
0003153236.tif 000004